(57)【要約】【課題】消費電力を抑えつつ空気障壁層（エアバリア）を作出して、発生した排煙に含まれる油等がレンジフードに付着することによるレンジフードの汚れを少なくすることができるレンジフードを提供する。【解決手段】加熱調理器の上方に設置され、室内の空気を集気する本体２と、集気された室内の空気を排気経路Ｄを通し屋外に排気する排気送風機３と、室内の空気を吸気する補助送風機４と、補助送風機４に連通して設けられるとともに、補助送風機４によって吸気された室内の空気が通る給気経路５と、を備え、本体２は、その一部に給気経路５を通った空気が本体２の外側へと吹き出す通風穴６が形成されている。【選択図】図１
2010054158.tif 000002
【特許請求の範囲】
【請求項１】
加熱調理器の上方に設置され、室内の空気を集気する本体と、
集気された前記室内の空気を排気経路を通し屋外に排気する排気送風機と、
前記室内の空気を吸気する補助送風機と、
前記補助送風機に連通して設けられるとともに、前記補助送風機によって吸気された前記室内の空気が通る給気経路と、を備え、
前記本体には、その一部に前記給気経路を通った前記空気が前記本体の外側へと吹き出す通風穴が形成されていることを特徴とするレンジフード。
【請求項２】
前記本体はさらに、前記本体の一部に、前記給気経路を通った前記空気が前記本体の内側へと吹き出す通風穴が形成されていることを特徴とする請求項１に記載のレンジフード。
【発明の詳細な説明】
【技術分野】
【０００１】
本発明は、レンジフードに関する。
【背景技術】
【０００２】
キッチンに設置されたレンジ等の加熱調理器の上方にレンジフードを設置し、加熱調理器から発生する油煙や臭気等（以下、これらをまとめて「排煙」という）を吸引捕集することが行われている。その方法として代表的な方法が以下の特許文献１に記載されている発明に開示されている。
【０００３】
すなわち、燃焼器具後方の斜め空気吹き出し部から斜め上方に向けて吹き出される空気のエントレイメント効果で周囲の流体である排煙を吹き飛ばすことなく効果的に引き寄せて集気し排気する。また、レンジフードファン本体の側方から外部への排煙の溢出を垂設側壁部外側の強制給気路部分の前向き空気吹き出し部から高さ方向から前側に吹き出すエアーカーテンによって防止する。さらに、レンジフードファン本体の前壁部の表面に沿って捕集されずに上昇する排煙を、下向き空気吹き出し部から幕板部の表面に沿って下方に吹き出された下向き空気流で押し下げて燃焼器具や調理物から上昇する排煙と一緒に集気し排気する。
【特許文献１】特開平７−２６０２２７号公報
【発明の開示】
【発明が解決しようとする課題】
【０００４】
しかしながら、上述の特許文献１に開示されているレンジフードファンでは、レンジフードファン本体外表面を流れる空気流を作り出して排煙をレンジフード外部に流れ出させないようにして集気、排気するために、レンジフードとレンジとの間にエアーカーテンを作り出すことを目的としている。
【０００５】
上述したように加熱調理器を使用すると排煙が発生する。排煙がレンジフード本体に付着することによって発生する汚れは、この排煙が油分を含むことも多いため一旦レンジフードに付着すると清掃が大変である。レンジフードには、排気を確実に行う他、如何に汚れを付着させない、或いは、付着しても容易に清掃できることが求められる。
【０００６】
特許文献１に開示されているレンジフードファンは、エアカーテンが作出されるため、結果としてレンジフードファン本体外表面には汚れが付着しにくくなる効果を得ることはできるが、エアーカーテンを作出するには、流速の早い大量の空気をレンジフードファン本体外表面に沿って上から下に向けて流さなければならず、大きな風量を必要とする。また、大風量を発生させるためには、大型のファンが必要となり消費電力も大きくなる。
【０００７】
本発明は上記課題を解決するためになされたものであり、本発明の目的は、消費電力を抑えつつ空気障壁層（エアバリア）を作出して、発生した排煙に含まれる油等がレンジフードに付着することによるレンジフードの汚れを少なくすることができるレンジフードを提供することである。
【課題を解決するための手段】
【０００８】
本発明の実施の形態に係る特徴は、レンジフードにおいて、加熱調理器の上方に設置され、室内の空気を集気する本体と、集気された室内の空気を排気経路を通し屋外に排気する排気送風機と、室内の空気を吸気する補助送風機と、補助送風機に連通して設けられるとともに、補助送風機によって吸気された室内の空気が通る給気経路と、を備え、本体には、その一部に給気経路を通った空気が本体の外側へと吹き出す通風穴が形成されている。
【発明の効果】
【０００９】
本発明によれば、消費電力を抑えつつ空気障壁層（エアバリア）を作出して、発生した排煙に含まれる油等がレンジフードに付着することによるレンジフードの汚れを少なくすることができるレンジフードを提供することができる。
【発明を実施するための最良の形態】
【００１０】
以下、本発明の実施の形態について図面を参照して詳細に説明する。
【００１１】
本発明の実施形態に係るレンジフード１は、添付の図面では図示しない加熱調理器の上方に設置され、室内の空気を集気する本体２と、集気された室内の空気を排気経路Ｄを通し屋外に排気する排気送風機３と、室内の空気を吸気する補助送風機４と、補助送風機４に連通して設けられるとともに、補助送風機４によって吸気された室内の空気が通る給気経路５と、を備え、本体２には、その一部に給気経路５を通った空気が本体２の外側へと吹き出す通風穴６が形成されている。
【００１２】
図１は、以上のように構成される本発明の実施の形態におけるレンジフード１が室内壁Ｉに取り付けられた状態を示す斜視図である。また、図２は、レンジフード１を下方から上方に向けて見た状態を示す斜視図である。図３は、レンジフード１を側面から見た様子を表わした側面図であり、破線でその内部に設置されている構成機器を表わしている。
【００１３】
図１或いは図２に示すように、本体２は、レンジフード１が設置される際に室内壁Ｉに直近の位置にある背面２ａと、背面２ａと垂直の位置であって室内壁Ｉから略加熱調理器上まで張り出すように設けられた一対の側面２ｂ，２ｂと、背面２ａと対向する位置にあり、一対の側面２ｂ，２ｂをつなぐ前面２ｃとから構成される。本体２には、一対の側面２ｂ，２ｂ及び前面２ｃの一部に、後述する補助送風機４が給気経路５に給気する室内の空気が本体２の外側或いは内側、または外側及び内側に向けて吹き出す通風穴６が複数設けられている。
【００１４】
また、本体２の内部には、図３に示すように、レンジフード１が設置される室内壁Ｉ寄りに排気送風機３が設置されている。排気送風機３は集気された排煙をその上部に連接される排気経路Ｄを介して室外へと排気する。なお、排気経路Ｄは本来設置される室内壁Ｉを貫通して室外とつながっているが、図１ないし図３においてはその状態を省略して表わしている。
【００１５】
本体２の上部に排気送風機３に連結されて設置されている排気経路Ｄは、レンジフード１を外部から見たときに幕板７の裏側に位置する。すなわち、幕板７は、設置されている室内壁Ｉを囲むようにその３方を囲っており、排気経路Ｄの目隠しとなっている。幕板７の前面７ａには、幕板７を貫通するようにスリット部８が設けられている。
【００１６】
図２或いは、図３に示すように、図示しない加熱調理器から集気された排煙を濾過するフィルタ９が加熱調理器が設置されている面に対して傾斜して取り付けられている。集気された排煙は、図３の破線の矢印で示すように、フィルタ９を通過し、本体２内に設置されている排気送風機３によって排気経路Ｄを通して屋外に排気される。
【００１７】
本体２の上部であって幕板７内には、その前面７ａと排気経路Ｄとの間に補助送風機４が設けられている（図３参照）。補助送風機４は、スリット部８から室内の空気を吸気し、連通されている給気経路５内に給気する。
【００１８】
図４は、図３に示すレンジフード１をＡ−Ａ線で切断して示す断面図であり、レンジフード１を室内壁Ｉ側から本体２の前面２ｃに向けて見た図である。補助送風機４は、本体２上部に設けられ、その排気部分は給気経路５に連結されている。給気経路５は、本体２の側面２ｂ，２ｂを中空にすることで形成されている。従って、補助送風機４によって吸気された空気は、図４に実線の矢印で示すような向きに給気経路５内を流れる。また、図３において破線で示されるように、本体２の前面２ｃも中空に形成されて給気経路５とされ、実線の矢印で示される向きに補助送風機４からの室内の空気が給気される。
【００１９】
そして本体２の側面２ｂ，２ｂ及び前面２ｃの上下方向の中間よりも下方には上述したように、複数の通風穴６が設けられている。従って、図１の実線の矢印に示すように、補助送風機４がスリット部８を通して吸気した室内の空気は、給気経路５を介して側面２ｂ，２ｂ及び前面２ｃに給気される。この給気された空気は、側面２ｂ，２ｂ及び前面２ｃ（給気経路５）に設けられた複数の通風穴６から本体２の外に向けて吹き出す。通風穴６は０．５ｃｍ程度の大きさで各面に多数設けられる。
【００２０】
通風穴６は、本体２を構成する各面のうち少なくとも１面、或いは各面の一部に設けられていれば良い。また、給気経路５から本体２の外に向けて空気が吹き出すように通風穴６を設けるだけではなく、図２或いは図４に示すように、レンジフード１内部（フィルタ９が設置されている領域）に通風穴を設け、内側に向けて空気が吹き出すことができるように設けられていても良い。さらに、図１ないし図４に示す通風穴６は円形状に形成されているが、その形状、大きさ、個数は自由に設定することができる。また、通風穴６を汚れの付着しやすい本体２の側面２ｂ，２ｂ及び前面２ｃの上下方向の中間よりも下方に設けたが、全体に設けても良い。
【００２１】
以上のような構成を採用する本発明の実施の形態におけるレンジフード１は、補助送風機４が室内の空気を吸気し、給気経路５を介して本体２の側面２ｂ，２ｂや前面２ｃに設けられた複数の通風穴６から空気を本体の内外に吹き出す。このように吹き出される空気によって加熱調理器からの排煙がレンジフード１の本体２の側面２ｂ，２ｂや前面２ｃ表面に近寄ることのできない空気障壁層（エアバリア）を作り出すことができる。したがって、排気送風機３と同時に補助送風機４をも駆動させることによって、通風穴６から吹き出す空気層が障壁（エアバリア）となってレンジフード１に集気される排煙に含まれる油等の汚れがレンジフード１に付着することを防止することができる。
【００２２】
本発明の実施の形態におけるレンジフードの構成では、通風穴６から吹き出す空気は強風である必要はなく、むしろ弱風として吹き出す方が空気障壁層（エアバリア）を安定して作出することができる。従って、補助送風機４も小型で足りるため消費電力を抑えることが可能となる。但し、通風穴６の数が増えると、その分だけ補助送風機４の風量を増加させる必要があるため、できれば汚れの付着しやすい部分のみ、すなわち、本体２の側面２ｂ，２ｂ及び前面２ｃの上下方向の中間よりも下方だけに設けるほうが望ましい。
【００２３】
なお、この発明は、上記実施の形態そのままに限定されるものではなく、実施段階ではその要旨を逸脱しない範囲で構成要素を変形して具体化できる。本発明の実施の形態を説明するに当たって、上記では図１ないし図４に示す形状を持つレンジフードを例に挙げたが、本発明はレンジフードの形状を問わず採用することが可能である。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００２４】
【図１】本発明の実施の形態に係るレンジフードを室内壁に取り付けた状態を示す斜視図である。
【図２】本発明の実施の形態に係るレンジフードを下方から上方に向けて見た状態を示す斜視図である。
【図３】本発明の実施の形態に係るレンジフードを側面から見た様子を表わした側面図である。
【図４】図３に示すレンジフードをＡ−Ａ線で切断して示す断面図である。
【符号の説明】
【００２５】
１…レンジフード、２…本体、２ａ…背面、２ｂ…側面、２ｃ…前面、３…排気送風機、４…補助送風機、５…給気経路、６…通風穴、７…幕板、７ａ…前面、８…スリット部、９…フィルタ、Ｄ…排気経路
【図１】
2010054158.tif 000003
【図２】
2010054158.tif 000004
【図３】
2010054158.tif 000005
【図４】
2010054158.tif 000006